(57)【要約】【課題】本発明は、極めて商品価値の高い画期的な昇降用具を提供することを目的とする。【解決手段】昇降の際に使用する昇降用具１であって、この昇降用具１は、縦材２ａに足掛け横材２ｂを設けて成る複数の足掛け構成体２を分離可能に連結した構成であり、前記足掛け構成体２は、内部に流体を充填することで収縮状態から膨張状態となる中空体であり、内部に流体を充填して膨張状態とした際、浮き袋として使用可能に構成されたものである。【選択図】図１
2015010381.tif 000002
【特許請求の範囲】
【請求項１】
昇降の際に使用する昇降用具であって、この昇降用具は、縦材に足掛け横材を設けて成る複数の足掛け構成体を分離可能に連結した構成であり、前記足掛け構成体は、内部に流体を充填することで収縮状態から膨張状態となる中空体であり、内部に流体を充填して膨張状態とした際、浮き袋として使用可能に構成されていることを特徴とする昇降用具。
【請求項２】
請求項１記載の昇降用具において、前記足掛け構成体は、適宜な可撓性を有する部材で構成されていることを特徴とする昇降用具。
【請求項３】
請求項１，２いずれか１項に記載の昇降用具において、互いに連結することで隣接状態となる前記足掛け構成体同士間に管部材が設けられ、一の足掛け構成体に充填された流体は前記管部材を介して他の足掛け構成体に充填されるように構成されていることを特徴とする昇降用具。
【請求項４】
請求項３記載の昇降用具において、前記足掛け構成体には、前記管部材を差し込み連結する逆止弁付き開口部が設けられ、この逆止弁付き開口部は、前記管部材を差し込み連結した際、逆止弁が押圧されて開放するように構成されていることを特徴とする昇降用具。
【請求項５】
請求項１〜４いずれか１項に記載の昇降用具において、前記足掛け構成体は、左右の縦材間に複数の足掛け横材を架設した構成であることを特徴とする昇降用具。
【請求項６】
請求項１〜５いずれか１項に記載の昇降用具において、前記昇降用具の背面部には滑り落下用のシート材が設けられていることを特徴とする昇降用具。
【請求項７】
請求項６記載の昇降用具において、前記シート材には、前記足掛け横材に掛けた足のつま先を挿入するつま先挿入孔が設けられていることを特徴とする昇降用具。
【請求項８】
請求項１〜７いずれか１項に記載の昇降用具において、前記足掛け構成体には、この足掛け構成体を吊り下げ保持する吊下体を連結する連結構造部が設けられていることを特徴とする昇降用具。
【発明の詳細な説明】
【技術分野】
【０００１】
本発明は、例えば電車の緊急停止時において車両からの昇降の際に使用する昇降用具に関するものである。
【背景技術】
【０００２】
従来から、例えば電車の緊急停止時において車両からの昇降の際に使用する昇降用具、、例えば特開２０１２−１７１４０２号に提案されているような昇降用具（以下、従来例）が種々提案されている。
【０００３】
この従来例は、左右の縦材間に複数の足掛け横材を架設した梯子構造体であって、上端部に電車の出入り口に係止する係止部を設けるとともに、下端部に地面に接地する接地部を設けた構成であり、例えば電車の緊急停止時において駅のホームでない場所にて乗客を降下させる際、電車の出入り口に立て掛け状態として使用するものである。
【先行技術文献】
【特許文献】
【０００４】
【特許文献１】特開２０１２−１７１４０２号公報
【発明の概要】
【発明が解決しようとする課題】
【０００５】
ところで、従来例は、縦材が伸縮自在に設けられており、不使用時には縦材を縮ませた状態とすることができるが、その構造上、コンパクト化するにも限界があり、しかも、電車の出入り口ごとに具備しなければならず、非常にコスト高である（一般的にはこの従来例はアルミ材で構成される為、高価である。）。
【０００６】
本発明は、前述した問題点を解消するもので、極めて商品価値の高い画期的な昇降用具を提供する。
【課題を解決するための手段】
【０００７】
添付図面を参照して本発明の要旨を説明する。
【０００８】
昇降の際に使用する昇降用具１であって、この昇降用具１は、縦材２ａに足掛け横材２ｂを設けて成る複数の足掛け構成体２を分離可能に連結した構成であり、前記足掛け構成体２は、内部に流体を充填することで収縮状態から膨張状態となる中空体であり、内部に流体を充填して膨張状態とした際、浮き袋として使用可能に構成されていることを特徴とする昇降用具に係るものである。
【０００９】
また、請求項１記載の昇降用具において、前記足掛け構成体２は、適宜な可撓性を有する部材で構成されていることを特徴とする昇降用具に係るものである。
【００１０】
また、請求項１，２いずれか１項に記載の昇降用具において、互いに連結することで隣接状態となる前記足掛け構成体２同士間に管部材３が設けられ、一の足掛け構成体２に充填された流体は前記管部材３を介して他の足掛け構成体２に充填されるように構成されていることを特徴とする昇降用具に係るものである。
【００１１】
また、請求項３記載の昇降用具において、前記足掛け構成体２には、前記管部材３を差し込み連結する逆止弁付き開口部５が設けられ、この逆止弁付き開口部５は、前記管部材３を差し込み連結した際、逆止弁５ｂが押圧されて開放するように構成されていることを特徴とする昇降用具に係るものである。
【００１２】
また、請求項１〜４いずれか１項に記載の昇降用具において、前記足掛け構成体２は、左右の縦材２ａ間に複数の足掛け横材２ｂを架設した構成であることを特徴とする昇降用具に係るものである。
【００１３】
また、請求項１〜５いずれか１項に記載の昇降用具において、前記昇降用具１の背面部には滑り落下用のシート材４が設けられていることを特徴とする昇降用具に係るものである。
【００１４】
また、請求項６記載の昇降用具において、前記シート材４には、前記足掛け横材２ｂに掛けた足のつま先を挿入するつま先挿入孔４ａが設けられていることを特徴とする昇降用具に係るものである。
【００１５】
また、請求項１〜７いずれか１項に記載の昇降用具において、前記足掛け構成体２には、この足掛け構成体２を吊り下げ保持する吊下体11を連結する連結構造部６が設けられていることを特徴とする昇降用具に係るものである。
【発明の効果】
【００１６】
本発明は上述のように構成したから、不使用時には収縮状態として極めてコンパクトな状態とすることができ、一方、使用時には内部に流体を充填して膨張状態とするだけで使用可能となり、しかも、簡易構造故にコスト安にして量産性に秀れ、そして更に、昇降の際に使用するだけでなく、浮き袋としても使用することができ、例えば万一の水害事故にも対応できて非常に有用であるなど、極めて商品価値の高い画期的な昇降用具となる。
【図面の簡単な説明】
【００１７】
【図１】実施例１の使用状態説明図である。
【図２】実施例１を説明する斜視図である。
【図３】実施例１を説明する斜視図である。
【図４】実施例１を説明する斜視図である。
【図５】実施例１の要部を説明する断面図である。
【図６】実施例１の要部を説明する断面図である。
【図７】実施例１の要部を説明する断面図である。
【図８】実施例１の要部の別例を説明する断面図である。
【図９】実施例１の要部を説明する斜視図である。
【図１０】実施例２を示す斜視図である。
【発明を実施するための形態】
【００１８】
好適と考える本発明の実施形態を、図面に基づいて本発明の作用を示して簡単に説明する。
【００１９】
不使用時にはコンパクトな収縮状態とし、使用時には足掛け構成体２の内部に流体を充填することで収縮状態から膨張状態とする。
【００２０】
この膨出状態とした昇降用具１を、例えば電車の出入り口に吊り下げるなどし、足掛け構成体２の足掛け横材２ｂに足を掛けて昇降する。
【００２１】
また、本発明は、例えば足掛け構成体２同士を分離した場合には、浮き袋として使用することができる。
【００２２】
従って、不使用時には収縮状態として極めてコンパクトな状態とすることができ、一方、使用時には内部に流体を充填して膨張状態とするだけで使用可能となり、しかも、簡易構造故にコスト安にして量産性に秀れ、そして更に、昇降に使用するだけでなく、浮き袋としても使用することができ、例えば万一の水害事故にも対応できて非常に有用である。
【実施例１】
【００２３】
本発明の具体的な実施例１について図１〜９に基づいて説明する。
【００２４】
本実施例は、昇降の際に使用する昇降用具１である。
【００２５】
尚、本実施例では、図１に図示したように電車Ｔの出入り口Ｔ１に設置しているが、使用場所はこれに限られるものではない。
【００２６】
具体的には、本実施例に係る昇降用具１は、縦材２ａに足掛け横材２ｂを設けて成る複数（３つ）の足掛け構成体２を分離可能に連結した構成である。尚、連結する足掛け構成体２の数は使用場所や目的に応じて適宜変更し得るものである。
【００２７】
この各足掛け構成体２は、図２に図示したように適宜な可撓性を有する合成樹脂製の部材で形成されており、左右一対の筒状の縦材２ａ間に上下一対の筒状の足掛け横材２ｂを設けた構成であり、内部に流体を充填することで収縮状態から膨張状態となる中空体であり、内部に流体を充填して膨張状態とした際、浮き袋（浮き輪）として使用し得るように、その大きさ（人の胴部が入る程度の縦材２ａ同士の間隔及び足掛け横材２ｂ同士の間隔）や空気の充填容量などが適宜設定されている。
【００２８】
また、上下の足掛け横材２ｂ夫々には逆止弁付き開口部５が設けられている。
【００２９】
この逆止弁付き開口部５は、図２，３，５に図示したように足掛け横材２ｂ夫々の外側面所定位置に筒状開口部５ａを設け、この筒状開口部５ａの内側開口縁部に可撓性板から成る逆止弁５ｂを設けた構成であり、この逆止弁５ｂは外側から圧力を加えることで内側に可動して開放状態となるように構成されている。
【００３０】
従って、筒状開口部５ａに口を付けて空気を吹き込んで充填することで逆止弁５ｂは内側に可動して開放状態となり、よって、内部に空気が充填されることで足掛け構成体２は収縮状態から膨張状態となる。また、この空気の充填を停止すると逆止弁５ｂ自体の復帰力と内圧により逆止弁５ｂは外側に可動して閉塞状態となる。
【００３１】
また、逆止弁５ｂは、後述する管部材３を筒状開口部５ａに挿入することによっても内側に可動して開放状態となる。
【００３２】
管部材３は、図２，３，５，６に図示したように適宜な合成樹脂製の部材で形成されたものであり、この管部材３の左右端部には筒状開口部５ａに差し込みし得る挿し込み筒状部３ａが設けられている。
【００３３】
従って、互いに連結することで隣接状態となる足掛け構成体２の筒状開口部５ａに管部材３の左右の差し込み筒状部３ａを差し込むことで、一の足掛け構成体２と他の足掛け構成体２とは管部材３を介して連通状態となり、一の足掛け構成体２に充填された流体は管部材３を介して他の足掛け構成体２に充填され膨張状態となる。
【００３４】
尚、本実施例では、足掛け構成体２の内部に充填する流体として消火器Ｆから噴射される消火剤が混入した加圧流体を採用しているが、これに限られるものではない。
【００３５】
また、足掛け構成体２の端部には他の足掛け構成体２の端部と着脱自在に連結するための連結部７が設けられている。
【００３６】
この連結部７は、図２，３，７に図示したように縦材２ａの端部（突出片）に設けられる複数の孔部７ａと、この各孔部７ａに貫挿係止する係止杆７ｂとで構成されており、一の足掛け構成体２の端部と他の足掛け構成体２の端部とを重合することで重合させた孔部７ａ同士間に係止杆７ｂを貫挿係止することで両者を連結するように構成されている。
【００３７】
また、本実施例では、図７に図示したように孔部７ａに貫挿係止させた係止杆７ｂの外側に配され該係止杆７ｂの抜けを抑制する面状体７ｃが設けられており、この面状体７ｃは、縦材２ａの端部に対して面ファスナー８を介して連結される。
【００３８】
図８は連結部７の別例であり、隣接する足掛け構成体２の縦材２ａの端部同士を重合状態とし、この重合部位の表裏面に面状体９を配し、この各面状体９を各縦材２ａの端部に面ファスナー10を介して連結する構造である。尚、連結部７は前述したタイプ以外の構造でも良い。
【００３９】
また、本実施例では、上下端部の両方に連結部７を設けたタイプの足掛け構成体２と、上下端部のいずれか一方に連結部７を設け、他方に足掛け構成体２を吊り下げ保持する吊下体11（ロープ）を連結する連結構造部６を設けたタイプの足掛け構成体２の２種類を使用している。
【００４０】
この連結構造部６は、縦材２ａの端部に孔部６ａを設けて構成されており、吊下体11の下端部を抜け止め状態に係止して連結する。尚、連結構造部６は前述した構成に限らないのは勿論である。
【００４１】
また、本実施例は、昇降用具１の背面部には滑り落下用のシート材４が設けられている。
【００４２】
具体的には、このシート材４は図２〜４に図示したように適宜な合成樹脂製であり、面ファスナー12を介して各足掛け構成体２の背面に着脱自在に設けられている。
【００４３】
従って、昇降用具１を裏返して斜設することで滑り台（シューター）として使用することができる。
【００４４】
また、シート材４には、足掛け横材２ｂに掛けた足のつま先を挿入し得るつま先挿入孔４ａが設けられている。
【００４５】
従って、各足掛け構成体２の背面にシート材４があっても昇降に支障を来すことはない。
【００４６】
以上の構成から成る本実施例に係る昇降用具１の使用方法について説明する。
【００４７】
不使用時にはコンパクトな収縮状態とし、使用時には足掛け構成体２の内部に流体を充填することで収縮状態から膨張状態とする。
【００４８】
具体的には、図２に図示したように消火器Ｆを最上段となる足掛け構成体２の逆止弁付き開口部５に接続して流体を噴射すると、流体は最上段の足掛け構成体２に充填されて膨張状態となり、更に、最上段の足掛け構成体２に充填された流体は管部材３を介して中段の足掛け構成体２に充填されて膨張状態となり、更に、中段の足掛け構成体２に充填された流体は管部材３を介して最下段の足掛け構成体２に充填されて膨張状態となる。全ての足掛け構成体２が膨張状態となった時点で管部材３を外しても逆止弁５ｂにより流体が漏れることはない。
【００４９】
続いて、この膨出状態とした昇降用具１の連結構造部６に連結した吊下体11を、例えば電車Ｔの出入り口Ｔ１の手摺りに係止して該昇降用具１を設置し、足掛け構成体２の足掛け横材２ｂに足を掛けて昇降する。また、状況に応じて昇降用具１を裏返した状態で斜設して滑り台としても使用できる。
【００５０】
また、例えば水害事故に遭遇した場合には、この昇降用具１は昇降するためだけでなく、足掛け構成体２同士を分離して浮き袋として使用することができる。
【００５１】
本実施例は上述のように構成したから、不使用時には収縮状態として極めてコンパクトな状態とすることができ、一方、使用時には内部に流体を充填して膨張状態とするだけで使用可能となり、しかも、簡易構造故にコスト安にして量産性に秀れ、そして更に、昇降に使用するだけでなく、浮き袋（浮き輪）としても使用することができ、例えば万一の水害事故にも対応できて非常に有用である。
【００５２】
また、本実施例は、足掛け構成体２は、適宜な可撓性を有する合成樹脂製の部材で構成されているから、収縮状態と膨張状態とが簡易且つ確実に得られることになり、しかも、コスト安にして量産性に秀れることになる。
【００５３】
また、本実施例は、互いに連結することで隣接状態となる足掛け構成体２同士間に管部材３が設けられ、一の足掛け構成体２に充填された流体は管部材３を介して他の足掛け構成体２に充填されるように構成されているから、簡易に膨張状態とすることができる。
【００５４】
また、本実施例は、昇降用具１の背面部には滑り落下用のシート材４が設けられているから、滑り台としての使用も可能となるなど多機能で便利である。
【００５５】
また、本実施例は、シート材４には、足掛け横材２ｂに掛けた足のつま先を挿入し得るつま先挿入孔４ａが設けられているから、各足掛け構成体２の背面にシート材４があっても昇降に支障を来すことはない。
【００５６】
また、本実施例は、足掛け構成体２には、該足掛け構成体２を吊り下げ保持する吊下体11を連結し得る連結構造部６が設けられているから、昇降用具１を所望の位置に簡易且つ確実に設置することができる。
【００５７】
つまり、本実施例は、例えば地震が起きて電車Ｔが緊急停止した場合、電車Ｔの出入り口Ｔ１に設定して昇降することができ、しかも、そこへ津波で電車Ｔの周囲が水浸しとなった場合、昇降用具１そのものを浮き袋とした使用したり、或いは、足掛け構成体２を分離して夫々を浮き袋として使用したりなど、緊急用具として使用することができる。
【実施例２】
【００５８】
本発明の具体的な実施例２について図１０に基づいて説明する。
【００５９】
本実施例は、図１０に図示したように足掛け構成体２として、一つの縦材２ａとこの縦材２ａの左右部位に複数の足掛け横材２ｂを突設したタイプとした場合である。
【００６０】
その余は実施例１と同様である。
【００６１】
尚、本発明は、実施例１，２に限られるものではなく、各構成要件の具体的構成は適宜設計し得るものである。
【符号の説明】
【００６２】
１  昇降用具
２  足掛け構成体
２ａ  縦材
２ｂ  足掛け横材
３  管部材
４  シート材
４ａ  つま先挿入孔
５  逆止弁付き連結部
５ｂ  逆止弁
６  連結構造部
【図１】
2015010381.tif 000003
【図２】
2015010381.tif 000004
【図３】
2015010381.tif 000005
【図４】
2015010381.tif 000006
【図５】
2015010381.tif 000007
【図６】
2015010381.tif 000008
【図７】
2015010381.tif 000009
【図８】
2015010381.tif 000010
【図９】
2015010381.tif 000011
【図１０】
2015010381.tif 000012